(57)【要約】【課題】背のリクライニングと腰部のストレッチのための繰返し傾斜を1個のアクチュエーターにより可能とすることで構造を簡単にし、重量とコスト高を解決し、扱いやすい可動ベッドを提供することにある。【解決手段】マットレスの支持床が、少なくとも背部支持床、腰部支持床、脚部支持床に３分割されており、該支持床の下側の支持基台に背上げシャフトと腰上げシャフトが回動自在に連結固定され、該背上げシャフトには背上げアームと背上げブラケットが、腰上げシャフトには腰上げアームと腰上げブラケットが、一定角度で固定されており、背上げアームと腰上げアームの下降を止めるストッパーを背上げアームと腰上げアームに対応する位置の支持基台に有し、該背上げブラケットと腰上げブラケットとの間に、アクチュエーターの伸縮長さが中間長さで支持床が水平位置となるように、アクチュエーターを回動自在に連結固定してなる可動ベッド。【選択図】図１
2007151837.tif 000002
【特許請求の範囲】
【請求項１】
マットレスの支持床が、少なくとも背部支持床、腰部支持床、脚部支持床に３分割されており、該支持床の下側の支持基台に背上げシャフトと腰上げシャフトが回動自在に連結固定され、該背上げシャフトには背上げアームと背上げブラケットが一定角度で固定され、腰上げシャフトには腰上げアームと腰上げブラケットが一定角度で固定されており、背上げアームと腰上げアームの下降を止めるストッパーを背上げアームと腰上げアームに対応する位置の支持基台に有し、該背上げブラケットと腰上げブラケットとの間に、アクチュエーターの伸縮長さが中間長さの状態で背部支持床と腰部支持床が水平位置となるように、アクチュエーターを回動自在に連結固定してなる可動ベッド。
【発明の詳細な説明】
【技術分野】
【０００１】
本発明は、背部と腰部が可動するベッドに関するものである。
【背景技術】
【０００２】
寝返りや体位変換を肉体的な苦痛や精神的な不安を覚えさすことなく行うものとして、複数の可動床を有し、それぞれの可動床に対応するアクチュエーターによりそれぞれの床を単独にまたは、組み合せて可動さすことにより、任意の凹凸床を形成し、リクライニング姿勢や、寝返りや体位変換を容易に行えるものはあった。また、通常平坦な硬めのマットレス上に寝た場合、背と臀部の間の腰部はマットレス面より少し浮いた状態となり、腰部の安定した支持ができないことから、腰部の支持床部を傾斜可能とし、平坦な支持床面より少し浮かせることで、腰部を安定的に支持する構造のものはあった。
【０００３】
しかし、前者の複数の可動床を有したものについては、ぞれぞれの可動床に対応する数だけのアクチュエーターが必要となり、構造が複雑となりコスト高となる点と、ベッドフレーム全体の重量が重たくなり、ベッドの移動が厄介であった。また、後者の腰部を平坦支持床面より、少し浮かせて腰部を支持する構造のものにあっては、腰部の可動支持床の傾斜機構が手動式であり、任意の傾斜角度で固定すれば、平坦な支持床面に下げるためには再度手動により傾斜角度を調整し、固定するものなので、腰が疲れたりした場合にベッド上でストレッチ的に、腰を上方へ浮かせたり、平坦にもどしたりの繰返しの可動をさすことは出来なかった。
【特許文献１】特開２００３−３１０６６８号公報
【特許文献２】特開平９−２６６８３０号公報
【発明の開示】
【発明が解決しようとする課題】
【０００４】
背のリクライニングと腰部のストレッチのための繰返し傾斜を1個のアクチュエーターにより可能とする機構とすることで、構造を簡単にし、重量とコスト高を解決し、扱いやすい可動ベッドを提供することにある。
【課題を解決するための手段】
【０００５】
本発明は、マットレスの支持床１が、少なくとも背部支持床２、腰部支持床３、脚部支持床４に3分割されており、該支持床１の下側の支持基台５に背上げシャフト６と腰上げシャフト７が回動自在に連結固定され、該背上げシャフト６には背上げアーム８と背上げブラケット９が一定角度で固定され、腰上げシャフト７には腰上げアーム１０と腰上げブラケット１１が一定角度で固定されており、背上げアーム８と腰上げアーム１０の下降を止めるストッパー１２，１２’を背上げアーム８と腰上げアーム１０に対応する位置の支持基台５に有し、該背上げブラケット９と腰上げブラケット１１との間に、アクチュエーター１３の伸縮長さが中間長さの状態で背部支持床２と腰部支持床が水平位置となるように、アクチュエーター１３を回動自在に連結固定してなる可動ベッドである。
【発明の効果】
【０００６】
背上げブラケット９と腰上げブラケット１１との間に、アクチュエーター１３の伸縮長さが中間長さの状態で背部支持床２と腰部支持床が水平位置となるように、アクチュエーター１３を回動自在に連結固定したことにより、背部支持床２と腰部支持床３が水平な位置からアクチュエーター１３が伸びる方向に作動すると、腰上げアーム１０はストッパー１２に接触し、それ以上下降回動しないため、腰上げブラケット１１は回動できず、アクチュエーター１３が背上げブラケット９を押すこととなり、背上げアーム８が上方に回動し、背部支持床２を起伏さす。
【０００７】
一方背部支持床２と腰部支持床３が水平な位置からアクチュエーター１３が縮む方向に作動すると、背上げアーム８がストッパー１２に接触し、それ以上下降回動しないため、背上げブラケット９は下降方向には回動できず、アクチュエーター１３が腰上げブラケット１１を引っ張る方向に力が働き、腰上げアーム１０を起伏方向に回動させ、腰部支持床４を回動起伏さすこととなる。
【０００８】
背のリクライニングと腰部のストレッチを１個のアクチュエーターにより行うことができるため、背を起こした状態の姿勢を長時間続けると、腰部に負担がかかり、腰が痛くなりがちであるが、その場合に、一旦ベッドをフラットな状態に戻し、繰返し腰部のストレッチを行うことで、腰の疲労を取り除くことが可能となると共に、構造が簡単となり、全体重量も軽量化でき、ベッドの移動が容易になる。
【発明を実施するための最良の形態】
【０００９】
背上げシャフト６と腰上げシャフト７が回動自在に連結固定され、該背上げシャフト６には背上げアーム８と背上げブラケット９が一定角度で固定され、腰上げシャフト７には腰上げアーム１０と腰上げブラケット１１が一定角度で固定されており、背上げアーム８と腰上げアーム１０の下降を止めるストッパー１２，１２’を背上げアーム８と腰上げアーム１０に対応する位置の支持基台５に有し、該背上げブラケット９と腰上げブラケット１１との間に、アクチュエーター１３の伸縮長さが中間長さの状態で背部支持床２と腰部支持床が水平位置となるように、アクチュエーター１３を回動自在に連結固定することで、１個のアクチュエーター１３により、背のリクライニングと腰部のストレッチを行うことを可能とした。
【実施例１】
【００１０】
図１は、本発明の１実施例における背部支持床２を起伏させた状態での床板の一部を切り欠いて示したベッドの全体斜視図であり、支持基台５は矩形な枠体１５を角パイプにより構成したもので、枠体１５の内側コーナー部に脚１６が溶接固定されている。
【００１１】
支持床１は、背部支持床２、腰部支持床３、脚部支持床４に３分割されたものであるが、脚部の屈曲リクライニングに対応する、脚部支持床４がさらに２分割されたものでもかまわない。支持床１の3分割された背部支持床２と腰部支持床３および脚部支持床４は、それぞれ角パイプより構成された略矩形な枠内に床板１４が嵌め込み固定され、床部を構成している。
【００１２】
図２は、背部を起伏させた状態での支持床１を取り除いたものを示す斜視図であり、支持基台５の枠体１５の長手方向のサイド枠１７，17’の内側面のヘッド寄りの位置に、背上げシャフト６用の一対の軸受板１８，１８’が固定されている。背上げシャフト６は、軸受板１８，１８’間に回動自在に連結されており、該背上げシャフト６には、背上げアーム８，８’と背上げブラケット９が一定角度を保持するように溶接により固定されている。背上げアーム８，８’の先端には背部支持床２をスムースに回動起伏さすために、ローラー１９が回動自在に連結されている。
【００１３】
一方サイド枠１７，１７’の長手方向ほぼ中央に当たる内側面にも一対の軸受板１８，１８’が溶接固定されており、該軸受板１８，１８’間に腰上げシャフト７が回動自在に連結固定され、腰上げシャフト７には、腰上げアーム１０と腰上げブラケット１１が一定角度を保持するように溶接固定されている。腰上げアーム１０の先端部には腰部支持床３をスムースに回動起伏させ、ストレッチ作動が行えるようにローラー１９が回動自在に連結固定されている。
【００１４】
背上げアーム８と腰上げアーム１０の水平位置のローラー１９，１９’の個所に対応それぞれの位置のサイド枠１７，１７’間に下降回動を止めるストッパー１２，１２’が固定されており、実施例１においてはＬ型アングルを掛け渡したものであるが、別の方法によるものでもかまわない。
【００１５】
支持基台５の枠体１５の幅方向枠２０，２０’の上方に突出したバー２１，２１’は、支持床１を水平位置に支持するもので、角パイプを溶接固定したものである。サイド枠１７，１７’のヘッド寄り内側に固定されているプレート２２，２２’は，背部支持床２、および、腰部支持床３の片側を回動自在に連結固定するためのもので、サイド枠１７，１７’の内側ほぼ中央部の板２３，２３’は、脚部支持床４の片側を連結固定するためのものである。
【００１６】
図６は、支持床１が水平位置の状態での一部を切り欠いて示す側面図であり、背上げアーム８と腰上げアーム１０のローラー１９，１９’が、ぞれぞれのストッパー１２，１２‘に接触しそれ以上下降回動しない状態位置で、背上げブラケット９と腰上げブラケット１１間にアクチュエーター１３の伸縮長さが中間長さの状態で該アクチュエーターを回動自在に連結固定したものである。
【００１７】
次に本発明の実施例１における作動について説明すると、図３は、腰部のストレッチ運動のために腰部支持床３が起伏した状態を示す全体斜視図であり、背部支持床２が水平位置の際に腰部支持床３が起伏及び下降の繰返し作動が可能となっており、腰部のストレッチ運動が行えるようになっている。
【００１８】
図４は、図３の状態の支持床１を取り除いた部分を示した全体斜視図であるが、背上げアーム８が水平位置の状態からアクチュエーター１３が、さらに縮む方向に作動すると、図６、および、図７に示すように、背上げアーム８のローラー１９がストッパー１２に接触し、背上げアーム８の回動が阻止され、背上げブラケット９の回動が止まるため、アクチュエーター１３が、さらに縮むためには腰上げブラケット１１を引っ張ることとなり、腰上げアーム１０を回動起伏さすこととなる。
【００１９】
逆にアクチュエーター１３が、伸びる方向に作動した場合は、図５，６，７に示すように、図７の腰上げアーム１０が起伏している状態からアクチュエーター１３が伸びる方向に作動すると、腰上げブラケット１１はアクチュエーター１３に押され、腰上げブラケット１１と腰上げアーム１０は、一定角度に固定された関係にあるため、腰上げアーム１０は下降回動を開始し、水平位置まで下降すると、腰上げアーム１０の先端部のローラー１９がストッパー１２に接触し、それ以上腰上げアーム１０が下降回動できなくなるため、さらにアクチュエーター１３が伸びると背上げブラケット９をアクチュエーター１３が押し、背上げブラケット９と背上げアーム８は一定角度に固定された関係にあるために背上げアーム８が起伏回動を開始し、図５に示すように背上げアーム８が起伏回動する。従って、図６〜図７の状態を繰り返すことで、腰部支持床３が起伏と下降を繰り返すこととなり腰部のストレッチ運動を可能としている。
【産業上の利用可能性】
【００２０】
アクチュエーター１３の伸縮長さの中間位置で２つの作動間を回動自在に連結固定することを適用すれば、リクライニングベッドとソファーベッドの全く異なる作動を１つのアクチュエーターにより行うことにも利用可能である。
【図面の簡単な説明】
【００２１】
【図１】実施例１における背部支持床２を起伏させた状態での、床板１４の一部を切り欠いて示したベッドの全体斜視図である。
【図２】図１のものの支持床１を取り除いた状態を示す全体斜視図である。
【図３】実施例１における腰部支持床３を起伏させた状態での、床板１４の一部を切り欠いて示したベッドの全体斜視図である。
【図４】図３のものの支持床１を取り除いた状態を示す全体斜視図である。
【図５】実施例１における背部支持床２を起伏させた状態での、一部を切り欠いて示した側面図である。
【図６】実施例１における支持床１を水平状態での、一部を切り欠いて示した側面図である。
【図７】実施例１における腰部支持床３を起伏させた状態での、一部を切り欠いて示した側面図である。
【符号の説明】
【００２２】
１    支持枠
２    背部支持枠
３    腰部支持枠
４    脚部支持枠
５    支持基台
６    背上げシャフト
７    腰上げシャフト
８    背上げアーム
９    背上げブラケット
１０    腰上げアーム  
１１    腰上げブラケット
１２    ストッパー
１３    アクチュエーター
【図１】
2007151837.tif 000003
【図２】
2007151837.tif 000004
【図３】
2007151837.tif 000005
【図４】
2007151837.tif 000006
【図５】
2007151837.tif 000007
【図６】
2007151837.tif 000008
【図７】
2007151837.tif 000009